(57)【要約】【課題】ＡＴＭ１０の取引と映像データの関連付けをする手段であって、正確で且つ負荷のかからない手段が求められている。【解決手段】ＡＴＭ１０において、取引が開始されたとき、取引通番を所定の除数で割った剰余を求め、その剰余により表示部１３に表示する色を選択して表示する。一つの取引が終了したときは、取引結果及び表示した色の情報を含む取引履歴を電子ジャーナル３２ａに記録する。何らかの事件発生時には、記録した取引履歴を読み出し、ジャーナルに印刷して出力する。  監視部は、監視カメラ３により、ＡＴＭ１０及び利用者を撮影した映像データを映像記憶部５に取り込み、入出力部６からの日時と時刻入力により、映像記憶部５に格納されている映像データを検索して表示する。取引履歴の色の情報と表示された映像データとの比較により取引と映像データの対応付けをするようにした。【選択図】図１
2011053879.tif 000002
【特許請求の範囲】
【請求項１】
利用者の操作により取引を行う自動取引装置において、
前記利用者による前記取引ごとに、異なる色を選択する色選択手段と、
前記色選択手段により選択された前記色を表示する表示手段と、
前記利用者による前記取引が終了したとき、前記取引の取引結果及び前記色の情報を含む取引履歴を記録する記録手段と、
を有することを特徴とする自動取引装置。
【請求項２】
前記色選択手段は、前記取引を識別するための取引通番を所定の除数で割った剰余を求め、前記剰余により前記色を選択することを特徴とする請求項１記載の自動取引装置。
【請求項３】
前記表示手段は、監視カメラから撮影可能な位置に設けられていることを特徴とする請求項１又は２記載の自動取引装置。
【請求項４】
前記表示手段は、前記取引の開始時に前記色を表示し、前記取引の終了時に前記色の表示を消去することを特徴とする請求項１〜３のいずれか１項に記載の自動取引装置。
【請求項５】
請求項３又は４記載の自動取引装置と、
前記表示手段及び前記利用者を撮影して映像データを取り込む前記監視カメラと、
前記映像データを記憶する映像記憶部と、
前記監視カメラにより取り込まれた前記映像データを編集して前記映像記憶部に記憶させ、外部からの検索要求により、前記映像記憶部に記憶されている前記映像データを検索する監視サーバと、
を有することを特徴とする自動取引システム。
【請求項６】
前記映像データは、前記撮影時の時刻を有することを特徴とする請求項５記載の自動取引システム。
【発明の詳細な説明】
【技術分野】
【０００１】
本発明は、利用者の操作によって取引を行う現金自動預け払い機（以下「ＡＴＭ」という。）等の自動取引装置と、この自動取引装置及び監視部を有する自動取引システムとに関するものである。
【背景技術】
【０００２】
従来、銀行等の金融機関の店舗におけるＡＴＭ設置コーナにおいては、例えば、取引中の利用者の暗証番号等の個人情報の盗視や現金の不正引出し等の不正行為の予防又は不正行為の発生時の監視のために監視カメラを有する監視部が設置されている。監視カメラは、ＡＴＭ設置コーナの複数のＡＴＭに対面し、ＡＴＭと利用者全体とを撮影するように配置されている。
【０００３】
撮影された映像は、監視サーバを介して、映像記憶部にフレーム画像として記憶される。不正行為等何らかの事件が発生したときは、このときの取引の取引時刻を含む取引履歴を記録しているＡＴＭ内の電子ジャーナルを読み出し、この取引履歴に記録されている時刻に基づいて、映像記憶部内のフレーム画像を読み出して、その映像データを目視で確認することが行われている。
【０００４】
このような、監視部に関する技術は、特許文献１及び非特許文献１に記載されている。特許文献１には、監視サーバにより映像記憶部に記憶されているフレーム画像を解析してＡＴＭ付近にいる不審者を検出し、取引中の利用者に注意、警告する技術が記載されている。非特許文献１には、動画像処理技術による映像監視の高度化の技術が開示されている。
【先行技術文献】
【特許文献】
【０００５】
【特許文献１】特開２００６−３３１０４９号公報
【非特許文献】
【０００６】
【非特許文献１】沖テクニカルレビューＶｏｌ．７８，Ｎｏ．１  第５６〜７８頁
【発明の概要】
【発明が解決しようとする課題】
【０００７】
しかしながら、従来の技術では、ＡＴＭの取引と映像データの関連付けを正確行うことが困難となるという課題があった。
【０００８】
即ち、不正行為等何らかの事件が発生したときは、当該の取引の取引時刻を含む取引履歴を記録しているＡＴＭ内の電子ジャーナルを読み出す。そして、この時刻に基づいて、映像記憶部内の映像データを目視で確認してＡＴＭでの取引と映像データとの対応付けを行う。このとき、ＡＴＭで記録した時刻と監視カメラによる撮影時に映像データに付与された時刻との間にずれがあったときは、ＡＴＭの取引と映像データとの関連付けを正確行うことが困難である。
【０００９】
更に、映像と複数のＡＴＭの取引との対応付けは、目視によるため時間と労力とを必要とするという課題がある。
【課題を解決するための手段】
【００１０】
本発明の自動取引装置は、利用者の操作により取引を行う自動取引装置であって、前記利用者による前記取引ごとに、異なる色を選択する色選択手段と、前記色選択手段により選択された前記色を表示する表示手段と、前記利用者による前記取引が終了したとき、前記取引の取引結果及び前記色の情報を含む取引履歴を記録する記録手段と、外部からの指示に基づき、前記記録手段に記録された前記取引履歴を出力する出力手段とを有している。
【００１１】
前記色選択手段は、前記取引を識別するための取引通番を所定の除数で割った剰余を求め、前記剰余により前記色を選択するように構成されている。
【００１２】
本発明の自動取引システムは、前記自動取引装置と、前記表示手段及び前記利用者を撮影して映像データを取り込む前記監視カメラと、前記映像データを記憶する映像記憶部と、前記監視カメラにより取り込まれた前記映像データを編集して前記映像記憶部に記憶させ、外部からの検索要求により、前記映像記憶部に記憶されている前記映像データを検索する監視サーバとを有している。
【発明の効果】
【００１３】
本発明の自動取引装置及び自動取引システムによれば、自動取引装置で記録した時刻と監視カメラによる撮影時に映像データに付与された時刻とにずれがあったとしても、自動取引装置で記録した時刻を基に、その時刻付近の映像データを目視で確認すれば、取引履歴の色の情報と映像データとの色の対応付けにより、自動取引装置の取引と映像データとの関連付けを正確に行うことが可能となる。
【００１４】
更に、記録された映像データの目視による確認において、取引時刻と色の情報とを併用することで確認の労力と時間を軽減することができる。特に、色の並び順は、一定でこれがサイクリックに繰り返されるので、映像データの確認がより容易になる。
【図面の簡単な説明】
【００１５】
【図１】図１は本発明の実施例１における自動取引システムの概略を示す構成図である。
【図２】図２は図１のＡＴＭを示す外観図である。
【図３】図３は図１のＡＴＭの機能ブロック図である。
【図４】図４は図３の入力操作部上に取引開始前に表示される取引選択画面を示す図である。
【図５】図５は図１のＡＴＭにおける色選択処理、表示処理及び電子ジャーナル作成処理を示すフローチャートである。
【図６】図６は図１の自動取引システムにおける目視チェックの仕組みを示す説明図である。
【発明を実施するための形態】
【００１６】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１７】
（実施例１の構成）
図１は、本発明の実施例１における自動取引システムの概略を示す構成図である。
【００１８】
本実施例１の自動取引システムは、銀行等の金融機関の店舗におけるＡＴＭ設置コーナに設けられた複数の自動取引装置（例えば、ＡＴＭ）１０−１〜１０−Ｎと、これらのＡＴＭ１０−１〜１０−Ｎ及び利用者を監視する監視部とにより構成されている。ＡＴＭ１０−１〜１０−Ｎは、ローカルエリアネットワーク（以下「ＬＡＮ」という。）１に接続され、ゲートウェイ（以下「ＧＷ」という。）２を介して図示しないホストコンピュータに接続されている。なお、ＡＴＭ１０−１〜１０−Ｎは、同一の構成、機能を有しており、特に、区別する必要がない場合は、単にＡＴＭ１０という。ＡＴＭ１０は、取引ごとに変化する色を表示する表示手段（例えば、表示部）１３と、取引結果を記録する記録手段（例えば、電子ジャーナル）３２ａとを有している。
【００１９】
ＡＴＭ設置コーナに設置された監視部は、表示部１３及び利用者を撮影して映像データを取り込む監視カメラ３と、映像データを記憶する映像記憶部５と、監視カメラ３により取り込まれた映像データを編集して映像記憶部５に記憶させ、外部からの検索要求により、映像記憶部５に記憶されている映像データを検索する監視サーバ４とを有している。監視サーバ４は、検索のためのキー入力操作や検索結果としての映像データの表示等を行う入出力部６を有している。
【００２０】
不正行為等何らかの事件が発生したときは、金融機関の職員又はＡＴＭ１０の監視業務を委託された保守会社や警備会社の職員によって、取引履歴を記憶しているＡＴＭ１０内の電子ジャーナル３２ａの所定部分を印字出力し、取引履歴内に記録されている時刻に基づいて、入出力部６を用いて、映像記憶部５内のフレーム画像を読み出し、目視で確認することが行われる。
【００２１】
図２は、図１のＡＴＭを示す外観図である。
ＡＴＭ１０は、利用者自身の操作により、現金の預入れ、現金の引出し、振込、残高照会、通帳記入等の取引を行うためのものである。ＡＴＭ１０は、熱や衝撃に対し一定の強度を有する鉄材で作られたキャビネット１１で覆われている。ＡＴＭ１０の前面は、利用者が操作するための操作面１１ａが略水平に利用者の方向に突き出している。操作面１１ａの奥方向には、操作面１１ａから連続して投入面１１ｂが設置されている。更に、投入面１１ｂに連続して挿入面１１ｃが略垂直に立ち上がっている。
【００２２】
前記操作面１１ａには、操作のためのガイダンスを表示し、各種取引のための入力を行う入力操作部１２が設けられている。投入面１１ｂには、入出金取引等、現金を扱う取引での現金の受付取出口である紙幣投入取出口１７ａと硬貨投入取出口１８ａが設けられている。挿入面１１ｃには、通帳の受付取出口である通帳取扱口１６ａ、キャッシュカード（以下「カード」という）の受付取出口であるカード取扱口１４ａ及びスピーカ１５ａが設けられている。挿入面１１ｃの上部には、例えば、発光ダイオード（ＬＥＤ；Light  Emitting  Diode）を用いた表示部１３が設けられている。
【００２３】
図３は、図１のＡＴＭの機能ブロック図である。
ＡＴＭ１０は、制御部３１と、取引履歴を格納する電子ジャーナル３２ａを有する記憶部３２とを備えている。制御部３１は、プログラム制御によりＡＴＭ１０全体を制御するものである。
【００２４】
制御部３１は、表示部１３に表示する色を選択する色選択手段３１ａと、選択した色を表示部１３に表示する表示制御手段３１ｂと、取引結果と表示した色の情報を含む取引履歴を記憶部３２内の電子ジャーナル３２ａに記録する記録制御手段３１ｃと、電子ジャーナル３２ａに記録した取引履歴を、出力手段（例えば、カードリーダ・ライタ部）１４により、ジャーナルに印字してカード取扱口１４ａに排出する出力制御手段３１ｄとを有している。ＬＡＮインタフェース部３３は、ＬＡＮプロトコルにより、ＧＷ２と通信を行いホストコンピュータとのデータの送受信を行う機能を有している。
【００２５】
制御部３１により制御される入力操作部１２は、文字や図形等で構成される操作画面を表示する図示しない液晶表示部（以下「ＬＣＤ表示部」という。）と、ＬＣＤ表示部上に設けられた情報入力のためのタッチパネル入力部とから構成されている。表示部１３は、制御部３１から指定された色を表示する機能を有している。
【００２６】
カードリーダ・ライタ部１４は、カード取扱口１４ａに挿入されたカードの内容を読み取り／書き込みしてカード取扱口１４ａに排出する機能及び明細票やジャーナルに取引内容や取引履歴等を印字してカード取扱口１４ａに排出する機能を有している。音声案内部１５は、利用者に対する各種案内及び連絡を、スピーカ１５ａを通じて音声で出力するものである。
【００２７】
通帳部１６は、通帳取扱口１６ａに挿入された通帳の記帳処理を行い通帳取扱口１６ａに排出する機能を有している。紙幣入出金部１７は、入金処理においては、紙幣投入取出口１７ａにセットされた紙幣を取り込み、紙幣の真贋を鑑別し、計数してＡＴＭ１０内の図示しない収納庫に取り込み、出金処理においては、収納庫から紙幣を取出し、紙幣の真贋を鑑別し、計数して紙幣投入取出口１７ａに排出する機能を有している。硬貨入出金部１８は、硬貨投入取出口１８ａに接続されており、紙幣の場合とほぼ同様の処理を行う。
【００２８】
図４は、図３の入力操作部上に取引開始前に表示される取引選択画面を示す図である。
【００２９】
本取引選択画面には、「いらっしゃいませ  ご希望の取引を押してください」の文言と、預入れ１２ａ―１、引出し１２ａ―２、振込１２ａ―３等の取引選択ボタンが配列されている。
【００３０】
（実施例１のＡＴＭの動作）
図５は、図１のＡＴＭにおける色選択処理、表示処理及び電子ジャーナル作成処理を示すフローチャートである。
【００３１】
図５のステップＳ１において、ＡＴＭ１０に電源が投入され、処理が開始される。ステップＳ２において、図示しないホストコンピュータとＡＴＭ１０との取引開始手続きの後、制御部３１は、取引通番の初期化を行う。取引通番は、ＡＴＭ１０ごとに利用者によって行われる取引を識別するための連番で記憶部３２に記憶されている。
【００３２】
ステップＳ３において、利用者により取引が開始されたとき、即ち、図４の取引選択画面が入力操作部１２に表示され、利用者がいずれかの取引選択ボタン１２ａを選択したときは、色選択手段３１ａは、取引通番を除数５で割り、その剰余を求める。但し、取引通番が５より小のときは、その取引通番を剰余とみなす。ステップＳ５において、求めた剰余に基づき、予め、記憶部３２に記憶してある剰余と色の図示しない対応表により表示部１３への表示色を選択する。例えば、剰余と色の対応は、剰余が０のときは、白、剰余が１のときは、青、剰余が２のときは、黄、剰余が３のときは、緑、剰余が４のときは、赤のように決められている。
【００３３】
ステップＳ６において、表示制御手段３１ｂは、選択された色、例えば、青を、表示部１３に表示する。利用者が取引を行っている間は、例えば、青が継続して表示されている。ステップＳ７において、利用者の取引が終了したときは、ステップＳ８において、表示制御手段３１ｂは、表示部１３を消灯して表示色を消去する。
【００３４】
続いて、ステップＳ９において、記録制御手段３１ｃは、当該取引の取引通番及び取引時刻を含む取引結果と表示部１３へ表示した色の情報とを電子ジャーナル３２ａに記録する。ステップＳ１０において、図示しないホストコンピュータとＡＴＭ１０との間で、ＡＴＭ１０の業務終了処理の手続きが行われるまでは、ステップＳ３へ戻り、ステップＳ３，Ｓ４，Ｓ５，Ｓ６，Ｓ７，S８，Ｓ９を繰り返す。即ち、利用者による取引が行われる都度、表示部１３に、色選択手段３１ａにより選択された色が表示され、更に、当該の取引が終了すると、表示部１３が消灯し、当該取引の取引結果及び表示部１３へ表示した色の情報が電子ジャーナル３２ａに記録される。ステップＳ１０において、ホストコンピュータとＡＴＭ１０との間で、ＡＴＭ１０の業務終了処理の手続きが行われたときは、本処理を終了する。
【００３５】
（実施例１の自動取引システムの全体動作）
ＡＴＭ設置コーナには、複数のＡＴＭ１０に対向して、映像撮影用のカメラである監視カメラ３が設けられおり、複数のＡＴＭ１０及び取引中の利用者が撮影できるように設置されている。更に、この監視カメラ３の位置は、ＡＴＭ１０の挿入面１１ｃの上部に設けられた表示部１３が発光する表示光を撮影後目視で認識可能に撮影できるように設置されている。監視カメラ３で撮影された映像は、ＡＴＭ設置コーナと同一構内に設置されている監視サーバ４を介して転送され、映像記憶部５にフレーム画像として記録される。
【００３６】
監視カメラ３は、ＡＴＭ設置コーナの複数のＡＴＭ１０を撮影しており、各ＡＴＭ１０の表示部１３が取引ごとに表示色を変化させる様子を撮影する。撮影された表示部１３の表示色の変化の様子は、映像記憶部５にフレーム画像として記録される。ＡＴＭ１０における取引は、概ね、３分程度を要する。一方、表示部１３に表示される色は、本実施例１では、５色あり、取引が替わるごとに、これらの色がサイクリックに表示される。よって、色の表示が一巡するのに概ね、３分×５色＝１５分を要することになる。
【００３７】
不正行為等何らかの事件が発生したときは、金融機関の職員又はＡＴＭ１０の監視業務を委託された保守担当会社や警備会社の職員がＡＴＭ１０を操作することによって、出力制御手段３１ｄは、当該の取引の取引時刻を含む取引履歴を記憶しているＡＴＭ１０内の電子ジャーナル３２ａを読み出してカードリーダ・ライタ部によりジャーナルに印刷する。この電子ジャーナル３２ａから読み出して印刷した取引履歴から色の情報を確認し、この色の情報と取引時刻に基づいて、入出力部６を用いて、映像記憶部５内のフレーム画像を読み出して映像データを目視で確認する。
【００３８】
図６は、図１の自動取引システムにおける目視チェックの仕組みを示す説明図である。
【００３９】
図６は、ＡＴＭ１０におけるある日、例えば、２００９年７月２３日木曜日の１０時から１０時２０分頃までの取引の取引履歴と、その取引を撮影した映像データとの対応を示している。ここでは、ＡＴＭ１０の計時する時刻に対し、監視カメラ３の計時が６分遅れているケースを想定する。取引時間は、実際には、長短あるが、ここでは、３分と仮定する。
【００４０】
電子ジャーナル３２ａに記録された取引履歴には、通番、取引時刻、表示部１３の表示色の情報、及びその他の取引結果が記録されている。図６では、説明のため、通番、取引時刻、表示部１３の表示色の情報のみを記載する。映像データには、撮影時の年月日時刻が付与されている。図６では、単に時刻表示と表示部１３の色のみを示す。
【００４１】
１０時から１０時１５分までに７件の取引がＡＴＭ１０で行われている。その取引結果が取引履歴として電子ジャーナル３２ａに記録されている。通番０１２の取引時では、取引時刻が１０時、表示部１３の表示色が黄であることを示している。同様に、通番０１３の取引時では、取引時刻が１０時３分、表示部１３の表示色が緑であり、通番０１４の取引時では、取引時刻が１０時６分、表示部１３の表示色が赤であり、通番０１５の取引時では、取引時刻が１０時９分、表示部１３の表示色が白であり、通番０１６の取引時では、取引時刻が１０時１２分、表示部１３の表示色が青であり、通番０１７の取引時では、取引時刻が１０時１５分、表示部１３の表示色が黄であることを示している。
【００４２】
一方、映像データは、時刻表示が１０時のとき、表示部１３の表示色は白であり、時刻表示が１０時３分のとき、表示部１３の表示色は青であり、時刻表示が１０時６分のとき、表示部１３の表示色は黄であり、時刻表示が１０時９分のとき、表示部１３の表示色は緑であり、時刻表示が１０時１２分のとき、表示部１３の表示色は赤であり、時刻表示が１０時１５分のとき、表示部１３の表示色は白であることを示している。
【００４３】
この取引履歴と映像データとを比較すると、同一時刻において、表示部１３の表示色が異なっている。これは、ＡＴＭ１０の計時時刻と監視カメラ３の計時時刻とが異なっていることを意味している。ここで、表示部１３の表示色による対応付けを行うと、通番０１２の取引履歴は、表示色が黄で、時刻表示が１０時６分の映像データに対応するものと推定される。同様に、通番０１３の取引履歴は、時刻表示が１０時９分の映像データに、通番０１４の取引履歴は、時刻表示が１０時１２分の映像データに、通番０１５の取引履歴は、時刻表示が１０時１５分の映像データに、それぞれ、対応するものと推定される。このことからＡＴＭ１０の計時時刻と監視カメラ３の計時時刻は、およそ６分のずれがあるものと推定される。
【００４４】
前述したように、容易に識別可能な５種類の色である白、青、黄、緑、赤が取引の種類が替わるごとに順次表示され、この順序でサイクリックに表示される。ＡＴＭ１０の計時時刻と監視カメラ３の計時時刻とのずれの長さが、この色表示の１サイクルの時間内であれば、取引履歴に記録した色の情報と映像データの色との対応付けにより、ＡＴＭ１０の計時時刻と監視カメラ３の計時時刻のずれがあっても取引履歴の取引と映像データとを対応づけることができる。つまり、色の種類が多い方が、色表示の１サイクルの時間が長くなるので、ＡＴＭ１０の計時時刻と監視カメラ３の計時時刻とのより大きいずれにも対応できることになる。
【００４５】
一方、実施例１の５種類の色である白、青、黄、緑、赤に例えば、紫又は橙を加えて、６種類又は７種類とした場合、紫は、赤又は青との識別が困難であり、橙は、黄又は赤との識別が困難である。本実施例１では、例として、識別が容易である白、青、黄、緑、赤の５種類の色を用いている。これらの５色は、互いに色相差が大きく、且つ、無彩色である白を除いて、彩度が高い。
【００４６】
（実施例１の効果）
本実施例１のＡＴＭ１０及び自動取引システムによれば、ＡＴＭ１０の取引は、その取引の通番、取引時刻を含む取引結果及びそのときの表示部１３の表示色の情報が電子ジャーナル３２ａに取引履歴として記録される。一方、監視カメラ３により、各ＡＴＭ１０の取引に対応して、表示部１３に表示される色が取得され、その時の時刻が付与されて監視部の映像記憶部５に記録される。
【００４７】
その結果、ＡＴＭ１０で記録した時刻と監視カメラ３による撮影時に映像データに付与された時刻にずれがあったとしても、例えば、数分のずれであれば、ＡＴＭ１０で記録した取引履歴を印刷して取引履歴に記録された時刻を基に、その時刻付近の映像データを目視で確認すれば、取引履歴の色の情報と映像データの色の対応付けにより、ＡＴＭ１０の取引と映像データの関連付けを正確に行うことが可能となる。即ち、色の表示サイクルが５色で約１５分程度であるので、取引履歴内の時刻付近の映像を確認して色による対応付けを行えば取引と映像データとを１対１に対応させることができる。
【００４８】
更に、記録された映像データの目視による確認において、取引時刻と色情報を併用することで確認の労力と時間を軽減することができる。特に、色の並び順は、一定でこれがサイクリックに繰り返されるので、映像データの確認がより容易になる。
【００４９】
（変形例）
本発明は、上記実施例に限定されず、種々の利用形態や変形が可能である。この利用形態や変形例としては、例えば、次の（ａ）〜（ｊ）のようなものがある。
【００５０】
（ａ）  自動取引装置は、金融機関の店舗、コンビニエンスストア等に設置されるＡＴＭ１０のみに限定されない。利用者による操作で取引を行う装置であれば、広く適用ができる。例えば、駅などに設置される券売機、空港などに設置される航空券発行機、スーパーマーケットに設置されるセルフレジ、住民票、戸籍、印鑑登録証明書等を発行する行政サービス端末機などが考えられる。
【００５１】
（ｂ）  図５のステップＳ３において、利用者により取引が開始されたとき、色選択の処理を開始するように説明したが、近接センサで利用者がＡＴＭ１０に接近したことを検知したときに、色選択の処理を開始するようにしてもよい。
【００５２】
（ｃ）  図５のステップＳ８において、一つの取引が終了したときは、表示制御手段３１ｂは、表示部１３の消灯を行うように説明したが、特定の色、例えば、白をＡＴＭ１０のアイドル状態を表示する色とし、これを表示するようにしてもよい。
【００５３】
（ｄ）  図５のステップＳ３において、利用者により取引が開始されたときに色選択手段３１ａは、取引通番を５で割り、その剰余を求めるように説明したが、除数５は、表示色の種類に応じて、他の数であってもよい。例えば、除数を４とすれば、剰余は、０、１、２、３の４種類となるので、４種類の色に対応させればよい。
【００５４】
（ｅ）  実施例１では、表示部１３への表示時には、単色で表示することで説明したが、複数の色を表示するようにしてもよい。例えば、白、青、黄、緑、赤の５種類の色を用いて、表示部１３に２種類の色を表示するようにした場合は、５色×５色＝２５パターンの情報を表示できる。
【００５５】
更に、表示した２種類の色の内の一つを、取引科目に割り当ててもよい。例えば、白を預入れに、青を引出しに、黄を振込に、緑を残高照会に、赤を通帳記帳に割り当てるようにしてもよい。
【００５６】
（ｆ）  実施例１では、ＬＥＤを用いた表示部１３で説明したが、これに限定されない。例えば、表示部１３は、液晶ディスプレイ（ＬＣＤ）やプラズマディスプレイであってもよい。
【００５７】
（ｇ）  実施例１では、ＡＴＭ１０に組み込まれた表示部１３で説明したが、ＡＴＭ１０に外付けされた表示部１３でもよい。
【００５８】
（ｈ）  本実施例１では、監視システムは、ＡＴＭ設置コーナと同一構内に設けられていることで説明したが、ＡＴＭ設置コーナから遠隔の監視センタに設置されるようにしてもよい。
【００５９】
（ｉ）  本実施例１では、映像記憶部５内の映像データを目視で確認することで説明したが、監視サーバ４に、フレーム画像ごとの特定部位の色を識別する手段を設け、監視サーバ４の処理により、フレーム画像を色別にソート／マージするようにしてもよい。例えば、変形例（ｅ）のように、取引科目に色を割り当てた場合は、色によりソート／マージを行うことで映像データを科目別に分類することができる。このようにすることで、例えば、振り込め詐欺のような事件が多発する場合等において、振込取引の映像を重点的にチェックすることができる。
【００６０】
（ｊ）  実施例１のＡＴＭ１０は、ＬＡＮ１に接続され、ＧＷ２を介してホストコンピュータと通信することで説明したが、これに限定されない。例えば、ＡＴＭ１０とホストコンピュータとを専用回線で接続し、ＴＤＭ（時分割多重化装置）等で分岐するように構成してもよい。
【符号の説明】
【００６１】
１                        ＬＡＮ
３                        監視カメラ
４                        監視サーバ
５                        映像記憶部
６                        入出力部
１０                        ＡＴＭ
１２                        入力操作部
１３                        表示部
１４                        カードリーダ・ライタ部
１４ａ                      カード取扱口
１５                        音声案内部
１５ａ                      スピーカ
１６                        通帳部
１６ａ                      通帳取扱口
１７                        紙幣入出金部
１７ａ                      紙幣投入取出口
１８                        硬貨入出金部
１８ａ                      硬貨投入取出口
３１                        制御部
３１ａ                      色選択手段
３１ｂ                      表示制御手段
３１ｃ                      記録制御手段
３１ｄ                      出力制御手段
３２                        記憶部
３２ａ                      電子ジャーナル
３３                        ＬＡＮインタフェース部
【図１】
2011053879.tif 000003
【図２】
2011053879.tif 000004
【図３】
2011053879.tif 000005
【図４】
2011053879.tif 000006
【図５】
2011053879.tif 000007
【図６】
2011053879.tif 000008